(57)【要約】【課題】  水彩画を描く作業を円滑に行うことができる水彩パレットを提供する。【解決手段】  水彩パレット１１は、支持パレット板１２及び調合パレット板１３が回動可能に連結されている。この水彩パレット１１は、支持パレット板１２及び調合パレット板１３の使用面が離間されるように展開される展開状態と、支持パレット板１２及び調合パレット板１３の使用面が重なり合うように閉止される閉止状態とに開閉可能に構成されている。また、支持パレット板１２には回転規制板２２が設けられ、この回転規制板２２は展開状態で調合パレット板１３に当接されるようになっている。さらに、支持パレット板１２の連結側には係止凹部２０が設けられるとともに、調合パレット板１３の連結側には係止凸部２１が設けられている。そして、展開状態では係止凸部２１が係止凹部２０に係止されるように構成されている。【選択図】      図２
0003102401.tif 000002
【実用新案登録請求の範囲】
【請求項１】
第１パレット板及び第２パレット板の側縁同士が回動軸により回動可能に連結されるとともに、前記両パレット板の使用面が離間されるように展開される展開状態と、前記両パレット板の使用面が重なり合うように閉止される閉止状態とに開閉可能に構成され、前記第１パレット板又は第２パレット板の連結側には回転規制部が設けられ、前記展開状態において前記回転規制部が第２パレット板又は第１パレット板の連結側に当接するように構成される水彩パレットにおいて、
前記第１パレット板の連結側には係止凹部が設けられるとともに、前記第２パレット板の連結側には係止凸部が設けられ、前記展開状態では前記係止凸部が前記係止凹部に係止されることを特徴とする水彩パレット。
【請求項２】
前記回動軸は、前記両パレット板の連結側両端部を軸支するとともに、前記係止凸部は、前記第２パレット板の連結側中央部に設けられることを特徴とする請求項１に記載の水彩パレット。
【請求項３】
前記係止凸部は、前記展開状態で前記回動軸の側方に延びるとともに前記第２パレット板の使用面と平行に延びるように設けられることを特徴とする請求項１又は請求項２に記載の水彩パレット。
【考案の詳細な説明】
【技術分野】
【０００１】
本考案は、水彩画を描く際に使用される水彩パレットに関するものである。
【背景技術】
【０００２】
従来、一対のパレット板が開閉回動可能に連結された水彩パレットが知られている（特許文献１参照）。この水彩パレットは、収容時には各パレット板の使用面が重なり合うように閉止され、使用時には各パレット板の使用面が離間されて略面一になるように展開される。
【特許文献１】特開２００３−２２０８００号公報
【考案の開示】
【考案が解決しようとする課題】
【０００３】
上記従来のパレットでは、使用時に展開されたパレット板が閉止方向に回転し易いため、水彩画を描く作業を円滑に行うことが困難であるという問題があった。
本考案は、上記のような従来技術に存在する問題点に着目してなされたものである。その目的とするところは、水彩画を描く作業を円滑に行うことができる水彩パレットを提供することにある。
【課題を解決するための手段】
【０００４】
上記の目的を達成するために請求項１に記載の考案は、第１パレット板及び第２パレット板の側縁同士が回動軸により回動可能に連結されるとともに、前記両パレット板の使用面が離間されるように展開される展開状態と、前記両パレット板の使用面が重なり合うように閉止される閉止状態とに開閉可能に構成され、前記第１パレット板又は第２パレット板の連結側には回転規制部が設けられ、前記展開状態において前記回転規制部が第２パレット板又は第１パレット板の連結側に当接するように構成される水彩パレットにおいて、
前記第１パレット板の連結側には係止凹部が設けられるとともに、前記第２パレット板の連結側には係止凸部が設けられ、前記展開状態では前記係止凸部が前記係止凹部に係止されることを要旨とする。
【０００５】
請求項２に記載の考案は、請求項１に記載の考案において、前記回動軸は、前記両パレット板の連結側両端部を軸支するとともに、前記係止凸部は、前記第２パレット板の連結側中央部に設けられることを要旨とする。
【０００６】
請求項３に記載の考案は、請求項１又は請求項２に記載の考案において、前記係止凸部は、前記展開状態で前記回動軸の側方に延びるとともに前記第２パレット板の使用面と平行に延びるように設けられることを要旨とする。
【考案の効果】
【０００７】
本考案によれば、
【考案を実施するための最良の形態】
【０００８】
以下、本考案を具体化した水彩パレットの実施形態を図面に基づいて詳細に説明する。
図１に示すように、水彩パレット１１は第１パレット板としての長四角板状の支持パレット板１２と第２パレット板としての長四角板状の調合パレット板１３とを備え、支持パレット板１２及び調合パレット板１３のそれぞれ長辺となる側縁同士が回動可能に連結されている。水彩パレット１１は、その表面である使用面で水彩絵の具を調合できるように構成され、水彩画を描く際に使用されるものである。以下、支持パレット板１２及び調合パレット板１３が連結されている側縁を連結側、その連結側に対向する側縁を開閉側という。
【０００９】
この支持パレット板１２及び調合パレット板１３は、ポリスチレン、ポリプロピレン等の合成樹脂を材料として図示しない射出成形金型によってそれぞれ一体成形されている。支持パレット板１２の連結側両端部には、円柱状の第１ヒンジ部１４が長辺に沿って延びるように一対設けられるとともに、各第１ヒンジ部１４の内側にはそれぞれ回動軸１５が長辺に沿って延びるように突設されている。
【００１０】
一方、調合パレット板１３の連結側中央部には、円柱状の第２ヒンジ部１６が長辺に沿って延びるように設けられている。そして、第１ヒンジ部１４の間に第２ヒンジ部１６が嵌合されるとともに、各第１ヒンジ部１４が第２ヒンジ部１６の両端部に回動可能に軸支されている。そして、これらの第１ヒンジ部１４及び第２ヒンジ部１６によって、図１に示すように支持パレット板１２及び調合パレット板１３の使用面が離間されるように展開される展開状態と、図３に示すように使用面が重なり合うように閉止される閉止状態とに開閉可能に構成されている。
【００１１】
図１に示すように、この水彩パレット１１は展開状態で使用され、この展開状態では支持パレット板１２及び調合パレット板１３の使用面が略面一となる。支持パレット板１２の使用面外側には、絵の具を載置する載置凹部１７が複数凹設されている。また、載置凹部１７の内側及び調合パレット板１３の表面には、絵の具を調合する調合凹部１８が凹設されている。支持パレット板１２の連結側には円孔状の指掛孔１９が貫設されている。そして、支持パレット板１２の裏面側から指掛孔１９に親指を挿入することにより、この水彩パレット１１は片手で支持されるようになっている。
【００１２】
図２に示すように、支持パレット板１２の連結側中央部には、係止凹部２０が凹設されている。この係止凹部２０は、支持パレット板１２の連結側上端部をＬ字状に切り欠くように形成されている。一方、図２及び図３に示すように第２ヒンジ部１６の中央部には、長四角形状の係止凸部２１が第２ヒンジ部１６の長辺に沿って延びるように突設され、水彩パレット１１の展開状態において係止凹部２０に係止されるようになっている。図２に示すように、係止凸部２１は展開状態で回動軸１５の側方に延びるとともに調合パレット板１３の使用面と平行に延びるように設けられている。言い換えると、係止凸部２１は、回動軸１５の軸線方向をＹ軸、かつ調合パレット板１３の厚さ方向をＺ軸とするＹＺ平面に直交するＸ軸方向に延びるように突設されている。係止凹部２０は、回動軸１５の軸線方向をＹ軸、かつ支持パレット板１２の厚さ方向をＺ軸とするＹＺ平面に直交するＸ軸方向に延びるように凹設けられている。この調合パレット板１３は、係止凸部２１の先端中央に射出成形金型の分割面であるパーティング面が位置するように成形される。
【００１３】
支持パレット板１２の連結側には、回転規制部としての回転規制板２２が長辺方向に延びるように設けられている。この回転規制板２２は展開状態の水彩パレット１１において、第２ヒンジ部１６の裏面に当接されるようになっている。そして、展開状態の水彩パレット１１では、支持パレット板１２及び調合パレット板１３がさらに離間する方向へ回転することが規制されるようになっている。
【００１４】
支持パレット板１２及び調合パレット板１３を展開状態から閉止方向に回転させると、支持パレット板１２及び調合パレット板１３が折り畳まれ、図３に示す閉止状態となる。図４に示すように、この閉止状態では、係止凸部２１と係止凹部２０の係止が解除されるようになっている。また、支持パレット板１２の開閉側中央部には、係合凹部２３が凹設されている。一方、第２パレットの開閉側中央部には係合凸部２４が突設され、この係合凸部２４が係合凹部２３に掛止することにより、閉止状態が維持されるようになっている。
【００１５】
さて、図３及び図４に示す閉止状態の水彩パレット１１を使用するには、まず係合凹部２３と係合凸部２４の係合を解除し、支持パレット板１２及び調合パレット板１３の使用面が略面一になるまで支持パレット板１２及び調合パレット板１３を展開方向に回転する。このとき、係止凹部２０に係止凸部２１が係止され、支持パレット板１２及び調合パレット板１３の閉止方向への回転が係止される。また、回転規制板２２が第２ヒンジ部１６の裏面に当接され、支持パレット板１２及び調合パレット板１３の展開方向への回転が規制される。
【００１６】
展開状態の水彩パレット１１は、指掛孔１９に親指を挿入し、支持パレット板１２を片手で支持して使用される。このとき、支持パレット板１２及び調合パレット板１３の閉止方向の回転は、係止凸部２１及び係止凹部２０によって係止されている。従って、支持パレット板１２を支持している手を動かした際、調合パレット板１３が閉止方向に回転することを抑制することができる。
【００１７】
本実施形態によって発揮される効果について、以下に記載する。
・  本実施形態における水彩パレット１１では、支持パレット板１２には係止凹部２０が設けられるとともに、調合パレット板１３には係止凸部２１が設けられている。そして、展開状態では係止凸部２１が前記係止凹部２０に係止されるように構成されている。このように構成した場合、展開状態において、支持パレット板１２及び調合パレット板１３の閉止方向の回転が規制される。また、机上に置いて使用する際に、展開状態で安定化させることができる。よって、水彩パレット１１から絵の具が飛散することが抑制されるため、水彩画を描く作業を円滑に行うことができる。
【００１８】
また、この種の水彩パレット１１は、片手で支持して使用するのが正しい使用方法である。本実施形態の水彩パレット１１では、片手で支持して使用し易くなっているため、学校の図画教育において、水彩パレット１１の正しい使用方法を浸透させることが容易である。従来、調合パレット板１３を薄肉に形成して、軽量化を図った場合、調合パレット板１３が閉止方向に一層回転し易いという問題があった。本実施形態では、支持パレット板１２及び調合パレット板１３の閉止方向の回転が規制されるため、調合パレット板１３の軽量化を図った場合でも、調合パレット板１３の回転を有効に抑制することができる。
【００１９】
・  本実施形態における水彩パレット１１では、支持パレット板１２及び調合パレット板１３の連結側両端部が回動軸１５によって軸支されている。また、係止凸部２１は調合パレット板１３の連結側中央部に設けられている。このように構成した場合、閉止方向の回転を係止する機能を支持パレット板１２及び調合パレット板１３の連結側にバランスよく発揮させることができる。
【００２０】
・  本実施形態における水彩パレット１１では、係止凸部２１は、展開状態で回動軸１５の側方に延びるとともに調合パレット板１３の使用面と平行に延びるように設けられている。このように構成した場合、係止凸部２１と係止凹部２０による係止を安定化させることができる。また、射出成形金型によって調合パレット板１３を成形する場合、係止凸部２１の先端中央をパーティング面に位置させることにより、従来の射出成形金型のキャビティ設計を若干変更するのみで製造することができる。
【００２１】
なお、前記実施形態を次のように変更して構成してもよい。
・  前記実施形態の係止凸部２１は、第２ヒンジ部１６の中央部に設けられている。この他に、係止凸部２１は第２ヒンジ部１６の全幅にわたって設けられてもよい。また、係止凸部２１は第２ヒンジ部１６に複数設けられてもよい。その場合、係止凹部２０は係止凸部２１に対応して支持パレット板１２の連結側に設ければよい。
【００２２】
・  前記実施形態では、第１パレット板として支持パレット板１２及び第２パレット板として調合パレット板１３を適用している。そして、支持パレット板１２には係止凹部２０が設けられ、調合パレット板１３には係止凸部２１が設けられている。この他に、図５（ａ）に示すように、第１パレット板として調合パレット板５１を適用し、この調合パレット板５１に係止凹部２０を設けてもよい。この場合、第２パレット板として支持パレット板５２を適用し、この支持パレット板５２に係止凸部２１を設けてもよい。
【００２３】
・  前記実施形態の係止凸部２１及び係止凹部２０の形状は、図５（ｂ）に示す断面半円状に変更してもよく、三角形状、台形状等、他の形状に変更してもよい。
・  前記実施形態の係止凸部２１は、Ｘ軸方向に延びるように設けられている。この係止凸部２１は、図５（ｃ）に示すようにＸ軸方向以外の方向に延びるように設けられていてもよい。
【００２４】
・  前記実施形態の回動軸１５は、連結側両端部に設けられているが、例えば連結側中央部等、連結側両端部以外の場所に設けられていてもよい。また、前記実施形態の回動軸１５は一対設けられているが、一つ又は３つ以上設けられていてもよい。
【００２５】
・  前記実施形態では回転規制部として回転規制板２２を適用しているが、板状に限定されず、例えば回転規制部として突起状の回転規制突起を設けてもよい。
・  前記実施形態の回転規制板２２は、支持パレット板１２に設けられている。この回転規制板２２は、調合パレット板１３に設けてもよい。また、回転規制板２２を分割構成し、支持パレット板１２及び調合パレット板１３の両方に設けてもよい。
【図面の簡単な説明】
【００２６】
【図１】本実施形態の水彩パレットの展開状態を示す斜視図。
【図２】図１の２−２線拡大断面図。
【図３】水彩パレットの閉止状態を示す斜視図。
【図４】図３の４−４線拡大断面図。
【図５】（ａ）、（ｂ）及び（ｃ）は、別例を示す拡大断面図。
【符号の説明】
【００２７】
１１…水彩パレット、１２…第１パレット板としての支持パレット板、１３…第２パレット板としての調合パレット板、１５…回動軸、２０…係止凹部、２１…係止凸部、２２…回転規制部としての回転規制板。
【図１】
0003102401.tif 000003
【図２】
0003102401.tif 000004
【図３】
0003102401.tif 000005
【図４】
0003102401.tif 000006
【図５】
0003102401.tif 000007